(57)【要約】  【課題】  誰にでも袋体の表裏を容易に見分けられて裏返し行為が確実に行えるようにする。  【解決手段】  袋体１の縫合部２に該袋体１と異色の表裏識別用表示部３を縫い付けて、袋体１の表側又は裏側のどちらか一方に配置することにより、色違いの表示部３が目印となって袋体１の表裏が簡単に識別可能となる。  【選択図】      図１
0003128606.tif 000002
【実用新案登録請求の範囲】
【請求項１】
網状シートを袋状に縫合し、この袋体を裏返すことで表と裏側どちらでも使用可能なリバーシブル洗濯ネットにおいて、
前記袋体の縫合部に、該袋体と異色の表裏識別用表示部を縫い付けて、袋体の表側又は裏側のどちらか一方に配置したことを特徴とするリバーシブル洗濯ネット。
【請求項２】
前記袋体の開口部に沿って設けられるスライドファスナーのスライダーに、袋体の表側に配置される表側引手と、袋体の裏側に配置される裏側引手とを設け、このスライドファスナーの閉止側端部には、スライダー及び表側引手を覆う表側カバー部材と、スライダー及び裏側引手を覆う裏側カバー部材とを、袋体の表裏両側に夫々対向するように取り付けた請求項１記載のリバーシブル洗濯ネット。
【請求項３】
前記袋体にポケットを取り付け、このポケットの開口端を該ポケット内側へ折り畳んで、この折り畳み片とポケット内面との間に収納空間部を区画形成した請求項１または２記載のリバーシブル洗濯ネット。
【考案の詳細な説明】
【技術分野】
【０００１】
本考案は、洗濯機に用いるリバーシブル洗濯ネットに関する。
詳しくは、網状シートを袋状に縫合し、この袋体を裏返すことで表と裏側どちらでも使用可能なリバーシブル洗濯ネットに関する。
【背景技術】
【０００２】
従来、この種のリバーシブル洗濯ネットとして、袋体の上部に外側から開閉可能なファスナーを設けると共に、該袋体の底部に内側から開閉可能なファスナーを設け、洗濯物の出し入れ時に、どちらか一方のファスナーを開口して袋体を裏返すことにより、前回の使用時に袋体内に付着した糸屑や埃などゴミや汚れが洗濯物を洗濯すると同時に洗い流せるようにしたものがある（例えば、特許文献１参照）。
また、袋体の開口部に装着されるスライドファスナーのスライダーに対して、引手を該スライダーの表裏両方向に移動できるように構成することにより、袋体が表裏反転しても開閉できようにしたものもある（例えば、特許文献２参照）。
【０００３】
【特許文献１】特開２００１−１２９２８９号公報（第２頁、図１）
【特許文献２】特開２００４−２４５５６号公報（第２頁、図１）
【考案の開示】
【考案が解決しようとする課題】
【０００４】
しかし乍ら、このような従来のリバーシブル洗濯ネットでは、裏返し使用可能に構成されているものの、袋体の表側と裏側とはその縫合部が若干異なるだけで、その見分けがし難いため、袋体の裏返し行為が頻繁に行われず、表裏どちらか一方を内側にして繰り返し使用され、それにより内側面に衣類から出た糸屑や埃などが付着・残留して、不衛生になり易いだけでなく、次の使用時には残留した糸屑や埃などが洗濯物に付着し易いという問題があった。
特に、視力が低下した高齢者などでは、袋体の表裏を見分けることが困難であり、リバーシブル機能を有効に利用できなかった。
また、特許文献１の場合には、袋体の異なる箇所に二つのファスナーを配置しているため、その分だけ構造が複雑化してコストアップになるという問題があった。
更に、特許文献２の場合には、ファスナーを開いてから袋体を裏返すと、ファスナーの引手が袋体の内側に移動してしまうため、この引手を外側へ移動してから開閉する操作が煩雑であると共に、該引手の移動行為が面倒であると使用者が判断すると、袋体の裏返し行為が頻繁に行われず、表裏どちらか一方を内側にして繰り返し使用されるから、上述した問題が発生し易くなる。
【０００５】
本考案のうち請求項１記載の考案は、誰にでも袋体の表裏を容易に見分けられて裏返し行為が確実に行えるリバーシブル洗濯ネットを提供することを目的としたものである。
請求項２記載の考案は、請求項１に記載の考案の目的に加えて、簡単な構造でありながら袋体の表裏どちらでも引手を容易に開閉操作すると共に洗濯中の引手との接触を防止することを目的としたものである。
請求項３記載の考案は、請求項１または２に記載の考案の目的に加えて、簡単な構造でありながら袋体の裏返しに関係なく収納物が飛び出でない区分け洗いを行うことを目的としたものである。
【課題を解決するための手段】
【０００６】
前述した目的を達成するために、本考案のうち請求項１記載の考案は、袋体の縫合部に該袋体と異色の表裏識別用表示部を縫い付けて、袋体の表側又は裏側のどちらか一方に配置したことを特徴とするものである。
請求項２記載の考案は、請求項１記載の考案の構成に、前記袋体の開口部に沿って設けられるスライドファスナーのスライダーに、袋体の表側に配置される表側引手と、袋体の裏側に配置される裏側引手とを設け、このスライドファスナーの閉止側端部には、スライダー及び表側引手を覆う表側カバー部材と、スライダー及び裏側引手を覆う裏側カバー部材とを、袋体の表裏両側に夫々対向するように取り付けた構成を加えたことを特徴とする。
請求項３記載の考案は、請求項１または２記載の考案の構成に、前記袋体にポケットを取り付け、このポケットの開口端を該ポケット内側へ折り畳んで、この折り畳み片とポケット内面との間に収納空間部を区画形成した構成を加えたことを特徴とする。
【考案の効果】
【０００７】
本考案のうち請求項１記載の考案は、袋体の縫合部に該袋体と異色の表裏識別用表示部を縫い付けて、袋体１の表側又は裏側のどちらか一方に配置することにより、色違いの表示部が目印となって袋体の表裏が簡単に識別可能となる。
従って、誰にでも袋体の表裏を容易に見分けられて裏返し行為が確実に行えるリバーシブル洗濯ネットを提供することができる。
その結果、袋体の表裏が見分け難い従来のものに比べ、視力が低下した高齢者などであっても色違い表示部の有無を確認するだけで袋体の表裏を容易に見分けられるから、袋体の裏返し行為を頻繁に行えて、前回使用時の袋体内の糸屑や埃などゴミや汚れが洗濯物を洗濯すると同時に洗い流すことができ、袋体内に貯まった糸屑や埃などゴミや汚れを手で払ったりするなどの作業を無くし、長時間清潔な状態で使用できる。
更に、袋体と異色の表示部が、網状シートの周縁部同士の縫い合わせを包被して縫製すするバイアステープであれば、袋体の表裏見分け機能と縫い代の補強機能が同時に得られると同時にと良いから低コストで提供できると共に、着色されたバイアステープに交換するだけで良いからコストアップにならず、低価格で提供できる。
【０００８】
請求項２の考案は、請求項１の考案の効果に加えて、袋体の開口部に沿って設けられるスライドファスナーのスライダーに、袋体の表側に配置される表側引手と、袋体の裏側に配置される裏側引手とを設け、このスライドファスナーの閉止側端部には、スライダー及び表側引手を覆う表側カバー部材と、スライダー及び裏側引手を覆う裏側カバー部材とを、袋体の表裏両側に夫々対向するように取り付けることにより、袋体の表側と裏側には表側引手と裏側引手のどちらか一方が配置されるため、これら引手の操作が容易になると共に、両引手が表側カバー部材と裏側カバー部材で覆われて、夫々の引手が、袋体の内部に収容された洗濯物や袋体の外部に存在する洗濯物や洗濯機の洗濯槽と直接接触しない。
従って、簡単な構造でありながら袋体の表裏どちらでも引手を容易に開閉操作すると共に洗濯中の引手との接触を防止することができる。
その結果、袋体の異なる箇所に二つのファスナーが配置される従来のものに比べ、全体構造を簡素化できるからコストの低減化が図れると共に、ファスナーを開いてから袋体を裏返すとファスナーの引手が袋体の内側に移動してしまう従来のものに比べ、引手の開閉操作が簡単であるから、袋体の裏返し行為を頻繁に行える。
更に、表側引手と裏側引手が、袋体の内部に収容された洗濯物と直接接触しないから、袋体内の洗濯物の損傷を防止できると共に、袋体の外部に存在する洗濯物や洗濯機の洗濯槽と直接接触しないから、袋体外の洗濯物の損傷及び洗濯槽の内壁に当たってカチカチという異音が発生することがない。
【０００９】
請求項３の考案は、請求項１または２の考案の効果に加えて、袋体にポケットを取り付け、このポケットの開口端を該ポケット内側へ折り畳んで、この折り畳み片とポケット内面との間に収納空間部を区画形成することにより、折り畳み片が蓋となって、収納空間部内に入れた収納物がポケットの開口から飛び出ない。
従って、簡単な構造でありながら袋体の裏返しに関係なく収納物が飛び出でない区分け洗いを行うことができる。
その結果、複数種類の洗濯物を袋体の異なる箇所に二つのファスナーが配置される従来のものに比べ、全体構造を簡素化できるからコストの低減化が図れると共に、ファスナーを開いてから袋体を裏返すと、ファスナーの引手が袋体の内側に配置される従来のものに比べ、引手の操作が簡単であるから、袋体の裏返し行為を頻繁に行える。
【考案を実施するための最良の形態】
【００１０】
以下、本考案の一実施例を図面に基づいて説明する。
本考案のリバーシブル洗濯ネットＡは、図１（ａ）（ｂ）に示す如く、網状シートを袋状に縫合しており、この袋体１の縫合部２には、該袋体１の網状シートとは異なる色の表裏識別用表示部３を縫い付けて、該袋体１の表側又は裏側のどちらか一方に配置すると共に、洗濯物（図示せず）が出し入れする開口部４には、スライドファスナー５を設けて開閉自在としている。
【００１１】
図示例では、略瓢箪形に裁断された２枚の白色網状シートの周縁部同士を縫い合わせることにより、袋体１全体として略球形状に形成し、その縫合部２の全長に亘り、白色と異なる色に着色された表示部３としてバイアステープを包被して縫製することにより、縫い代を補強している。
【００１２】
上記スライドファスナー５は、両側に歯が並んだ案内テープ部５ａと、それに沿って往復どうするスライダー５ｂと、このスライダー５ｂに取り付けられて袋体１の表側に常時突出して配置される表側引手５ｃと、同じくスライダー５ｂに取り付けられて袋体１の裏側に常時突出して配置される裏側引手５ｄとから構成されている。
【００１３】
更に、このスライドファスナー５の閉止側端部には、図２（ａ）（ｂ）に示す如く、上記スライダー５ａ及び表側引手５ｂを覆う表側カバー部材６と、スライダー５ａ及び裏側引手５ｃを覆う裏側カバー部材７とを、袋体１の表裏両側に夫々対向するように取り付けており、スライダー５ａを閉じる方向に移動して、前記袋体１の開口部４を全領域閉じた位置でスライダー５ａと表側引手５ｂ及び裏側引手５ｃが、表側カバー部材６と裏側カバー部材７に夫々収容される。
【００１４】
これら表側カバー部材６及び裏側カバー部材７は、上記スライドファスナー５の案内テープ部５ａの終端を跨いで、曲面状に突出するように形成することが好ましく、更に該案内テープ部５ａの縁部と網状シートの縁部との縫い合わせ部分を、上記バイアステープ３で包被して縫製することにより、袋体１に対して的確に固定することが好ましい。
【００１５】
また、表側カバー部材６及び裏側カバー部材７は、曲面状に突出した状態を常に保持できるように、形態保持力のある素材、例えばジャガード織機により編み込まれたジャガードゴム（平織りゴム）を使用することが好ましい。
【００１６】
そして、前記袋体１の表側又は裏側のどちらか一方或いは両方には、図１（ａ）（ｂ）及び図３に示す如く、該袋体１と同様な網状シートからなるポケット８を取り付け、このポケット８の開口端を該ポケット８の内側へ折り畳んで、この折り畳み片８ａとポケット内面８ｂとの間に収納空間部８ｃを区画形成しても良い。
【００１７】
図示例では、上述した異色の表示部３としてバイアステープが縫い付けられた袋体１の裏側のみに、その底部分が略円弧状に裁断されたポケット８の周縁部と、折り畳み片８ａの周縁部と一緒に縫い付けることで、これらの縫製を容易にしている。
【００１８】
次に、斯かるリバーシブル洗濯ネットＡの使用方法及びその作用効果について説明する。
先ず、袋体１のスライドファスナー５を開いて、その内部のみに洗濯物として白物又はや起毛衣類などを入れ、スライドファスナー５を閉じてスライダー５ｂと表側引手５ｃ及び裏側引手５ｄを表側カバー部材６と裏側カバー部材７に夫々収納する。
【００１９】
更に、袋体１の内側にあるポケット８に洗濯物を入れる必要がある場合には、スライドファスナー５を閉じる前に、該ポケット８の開口から洗濯物を入れ、折り畳み片８ａとポケット内面８ｂとの間の収納空間部８ｃへ収納する。
袋体１の外側にあるポケット８に洗濯物を入れる必要がある場合には、スライドファスナー５の開閉操作と関係なく、該ポケット８の開口から洗濯物を入れ、折り畳み片８ａとポケット内面８ｂとの間の収納空間部８ｃへ収納する。
【００２０】
この収納状態で、洗濯機に投入すれば、洗濯物をソフトにかつ糸屑や埃などゴミや汚れを付着させることなく洗濯することができる。
その際、スライダー５ｂと表側引手５ｃ及び裏側引手５ｄが表側カバー部材６と裏側カバー部材７で覆われて突出しないため、袋体１の内部に収容された洗濯物と直接接触することが防止されると共に、袋体１の外部に存在する洗濯物や洗濯機の洗濯槽の内壁に当たってカチカチという異音が発生することがない。
【００２１】
また、ポケット８の収納空間部８ｃ内に入れた洗濯物は、折り畳み片８ａが蓋となって、ポケット８の開口から飛び出ないので、ポケット８が袋体１の表裏どちら側に配置されたとしても該袋体１の裏返しと関係なく袋体１内の洗濯物と区分け洗いを行える。
【００２２】
洗濯後は、袋体１の内部や内側のポケット８の収納空間部８ｃから洗濯物を取り出すが、この時、色違いの表示部３が目印となって袋体１の表裏が誰にでも簡単に見分けられるから、洗濯物の取り出しと同時に、使用者自ら袋体１の表裏を認識した上で袋体１の裏返し行為が確実に行える。
それにより、前回の使用時に袋体１の内面に付着した糸屑や埃などゴミや汚れが、次回の洗濯物を洗濯すると同時に洗い流すことができる。
【００２３】
尚、図示例では、袋体１が２枚の略瓢箪形の網状シートの周縁部同士を縫い合わせて略球状に形成したが、本考案のリバーシブル洗濯ネットＡはこれに限定されず、一枚の網状シートや３枚以上網状シートを使って球形以外の袋状に縫合しても良い。
更に、袋体１と異色の表示部３として、バイアステープを縫合部２の全長に亘り縫い付けているが、これも限定されず、縫合部２の一部を除く大部分又は目立つ箇所のみに、異色の表示部３としてバイアステープ以外のラベルなどを縫い付けることも可能である。
【図面の簡単な説明】
【００２４】
【図１】本考案のリバーシブル洗濯ネットの一実施例を示す斜視図であり、（ａ）が袋体の裏側を示し、（ｂ）が袋体を裏返して表側にした状態を示している。
【図２】スライドファスナー及びカバー部材を表側から視て部分拡大した斜視図であり、（ａ）がファスナーを開いた状態を示し、（ｂ）がファスナーを完全に閉止した状態を一部切欠して示している。
【図３】図１（ａ）の（３）−（３）線に沿える部分拡大断面図である。
【符号の説明】
【００２５】
Ａ  リバーシブル洗濯ネット        １  袋体
２  縫合部                        ３  表裏識別用表示部
４  開口部                        ５  スライドファスナー
５ａ  案内テープ部                ５ｂ  スライダー
５ｃ  表側引手                    ５ｄ  裏側引手
６  表側カバー部材                ７  裏側カバー部材
８  ポケット                      ８ａ  折り畳み片
８ｂ  ポケット内面                ８ｃ  収納空間部
【図１】
0003128606.tif 000003
【図２】
0003128606.tif 000004
【図３】
0003128606.tif 000005